【事件の表示】
　平成５年特許願第１１８９８６号「ゴルフクラブのマーキング方法及びゴルフクラブ」拒絶査定不服審判事件〔平成６年１１月１日出願公開、特開平６−３０５２４１〕について、次のとおり審決する。
【結　論】
　本件審判の請求は、成り立たない。
【理　由】
１．手続の経緯・本願発明
　本願は、平成５年４月２２日の出願であって、その請求項１〜３に係る発明は、平成１４年５月２４日付け手続補正書により補正された明細書及び願書に最初に添付した図面の記載からみて、特許請求の範囲の請求項１〜３にそれぞれ記載されたとおりのものと認められるところ、請求項１に係る発明（以下、「本願発明」という。）は以下のとおりのものである。
「めっき処理を施した金属製ヘッドを有するゴルフクラブの該ヘッド表面に所望の表示部をマーキングする方法において、めっき処理を施した金属製ヘッドが、ヘッド基体上にニッケルめっきを施し、更にその上にクロムめっきを施して形成されたものであり、上記金属ヘッド表面に波長１μｍ前後のエキシマレーザー又はＹＡＧレーザーをトータルエネルギー１〜５０Ｗ、照射ショット数１〜５０，０００回、照射スピード３００ｍｍ／ｓｅｃ以下の条件で照射して該ヘッド表面部のレーザー光照射部分の色調を変化させ、この色調変化部分によりクラブヘッド表面に所望の表示部を形成することを特徴とするゴルフクラブのマーキング方法。」
　
２．刊行物記載の発明（事項）
　原査定の拒絶の理由に引用され、本願の出願前に国内で頒布された刊行物である特開平４−３３２５７２号公報（以下、「刊行物１」という。）、特開昭４９−３７７３８号公報（以下、「刊行物２」という。）、実願昭５８−１３９１６０号（実開昭６０−４７５６１号）のマイクロフィルム（以下、「刊行物３」という。）、特開平５−８５０５５号公報（以下、「刊行物４」という。）、特開平４−５２１９０号公報（以下、「刊行物５」という。）、及び、特開昭５４−５６５７６号公報（以下、「刊行物６」という。）には、以下の事項が記載されている。
　
（１）刊行物１の段落【０００４】
「・・・一般に、ゴルフクラブヘッドにはデザイン及び品名等の表示の為、刻印が打たれる場合が多く、・・・」
（２）刊行物２の第１頁右下欄１２行〜１９行
「本発明は真鍮などのゴルフクラブヘツド材料を加熱し、これを上下の型中に挟んで上下よりプレスすることにより、クラブフエースの裏側面に所望の文字や模様などを彫刻状に顕出せしめた・・・。」
（３）刊行物３の明細書第５頁１３行〜１８行
「この表示は、・・・ゴルフクラブ１２においては、第２図に示すようにヘッド部分１２ａの上面・・・に表示した。」
　上記（１）〜（３）の記載からみて、刊行物１〜３には、次の発明が記載されていると認められる。
「ゴルフクラブのヘッド表面に所望の表示部をマーキングする方法。」（以下、「刊行物１〜３記載の発明」という。）
　
（４）刊行物４
（４−１）段落【０００５】
「本発明は、上記事情に鑑みなされたもので、ゴルフボールの真球度やディンプル精度を劣化させることなく、しかも図柄や文字等ににじみ、ゆがみ、かすれなどの不具合を生じることなくきれいに表示部を再現することができ、かつ耐久性の優れた表示部を形成することができるゴルフボールのマーキング方法及び該マーキング方法によるきれいで耐久性に優れた表示部を有し、しかも真球度やディンプル精度に優れたゴルフボールを提供することを目的とする。」
（４−２）段落【０００８】
「以下、本発明につき更に詳しく説明すると、本発明のゴルフボールのマーキング方法は、上述したようにゴルフボールの表面にレーザー光を照射してゴルフボール表面層のレーザー光照射部分の色彩を変化させることによりマーキングするものである。この場合、レーザー光の種類としては特に制限はなく、ゴルフボールの表面層を構成する材料の種類等に応じて種々選択されるが、特にはエキシマレーザーやＹＡＧレーザーなどの波長１μｍ前後又は１μｍ以下のレーザー光が好適に用いられる。」
（４−３）段落【００１０】
「更に、本発明のマーキング方法においては、ボール表面の樹脂の種類に応じて上記レーザー光の種類や波長、照射時間、ショット数などを種々選択することにより、化学変化による変色の色合いを変えることができ、これによりマークの色合いを調節することが可能である。なお、通常照射時間は０．０１〜１０秒、ショット数は１〜１０，０００回（０．１Ｈｚ〜１０ＫＨｚ繰返し；この場合、エキシマレーザーでは０．１〜２００Ｈｚが好ましく、ＹＡＧレーザーでは１〜１０ＫＨｚが好ましい。）程度とされる。また、トータルエネルギーは０．１〜５Ｗとすることが好ましく、特にエキシマレーザーでは０．１〜０．５Ｗ、ＹＡＧレーザーでは１〜３Ｗとすることが好ましい。」
　上記の摘記事項（４−２）、（４−３）からみて、刊行物４には、次の事項が記載されていると認められる。
「ゴルフボールの表面に波長１μｍ前後のエキシマレーザー又はＹＡＧレーザーをトータルエネルギー０．１〜５Ｗ、照射ショット数１〜１０，０００回の条件で照射して該ゴルフボール表面部のレーザー光照射部分の色彩を変化させ、この色彩変化部分によりゴルフボール表面に表示部を形成するゴルフボールのマーキング方法。」（以下、「刊行物４記載の発明」という。）
　
（５）刊行物５の第２頁左上欄１７行〜同頁右上欄３行
「レーザーマーキング法とは、金属、セラミック、高分子有機材料等の表面にレーザー光を利用してマーク、バーコードあるいは画像等をマーキングする方法であり、非接触で且つマーキング速度が速く、自動化・工程管理が容易な事から、最近多く工業的に利用されている。」
（６）刊行物６の第１頁左下欄１０行〜第２頁左上欄１０行
「本発明の装飾部材においては、レーザを利用して部材表面に変色させることを基本的要素として、変色に伴う部材表面の変態、部材の材質などの条件により、具体的な手段を分類できる。
　（ａ）金属表面をレーザの照射により溶融して非晶質層を形成すると、この非晶質層の色が他の表面部分とは異なるので、この現象を利用してパターンを形成する。
　・・・
　（ｃ）合成樹脂、木材、竹材、金属などの部材表面をレーザ照射により加熱して、主として黒、濃茶色などの色をもつた焦げ目をつくり、この焦げ目でパターンを形成する。例えば、木材にレーザを照射して黒色の焦げ目を形成できる。」
　上記（５）、（６）の記載からみて、次の事項が従来周知であると認められる。
「レーザーマーキング法を金属材に適用すること。」（以下、「周知の事項」という。）
　
３．対比
　本願発明と刊行物１〜３記載の発明とを対比すると、両者は、「ゴルフクラブのヘッド表面に所望の表示部をマーキングする方法」で一致し、以下の点で相違する。
〈相違点１〉前者は、マーキングを行うゴルフクラブのヘッドが、めっき処理を施した金属製の基体上にニッケルめっきを施し、更にその上にクロムめっきを施して形成されたものであるのに対して、後者は、マーキングを行うゴルフクラブのヘッドがそのようなものとは特定されていない点。
〈相違点２〉前者は、マーキングが、波長１μｍ前後のエキシマレーザー又はＹＡＧレーザーをトータルエネルギー１〜５０Ｗ、照射ショット数１〜５０，０００回、照射スピード３００ｍｍ／ｓｅｃ以下の条件で照射してレーザー光照射部分の色調を変化させ、この色調変化部分により表示部を形成するのに対して、後者は、マーキングがそのようなものではない点。
　
４．当審の判断
　そこで、上記相違点１、２等について検討する。
（１）相違点１について
　めっき処理を施した金属製の基体上にニッケルめっきを施し、更にその上にクロムめっきを施して形成されたゴルフクラブのヘッドは、実願昭６１−１５８７８１号（実開昭６３−６５４６９号）のマイクロフィルムの明細書第１頁１４行〜第２頁４行、特開平５−９２０５４号公報の段落【０００４】に示されるように、従来周知のものである。
　そうすると、刊行物１〜３記載の発明において、マーキングの対象としてのゴルフクラブのヘッドを、上記従来周知のものである、めっき処理を施した金属製の基体上にニッケルめっきを施し、更にその上にクロムめっきを施して形成されたヘッドとすることは、当業者が容易になし得ることである。
　
（２）相違点２について
　刊行物４記載の発明のうちの「レーザー光照射部分の色彩を変化させ、この色彩変化部分」は本願発明の「レーザー光照射部分の色調を変化させ、この色調変化部分」に相当する。
　そして、刊行物１〜３記載の発明と刊行物４記載の発明とは、「マーキング」という共通の技術分野に属するものであって、しかも、上述したとおり、レーザーマーキング法を金属材に適用することも従来周知の事項であることを勘案すると、刊行物１〜３記載の発明におけるマーキングの手法を刊行物４記載の発明の「レーザーマーキング法」に換えること、さらに、その際に、好適な照射スピードの条件を決定して、相違点２に係る構成を本願発明のようにすることは、当業者が容易になし得ることである。
　
（３）本願発明の作用効果
　本願発明の作用効果は、刊行物１〜３記載の発明、刊行物４記載の発明及び上記従来周知の事項から当業者が予測可能な範囲内のものであって、格別のものではない。
　
５．むすび
　したがって、本願発明は、刊行物１〜３記載の発明、刊行物４記載の発明及び上記従来周知の事項に基づいて当業者が容易に発明をすることができたものであるから、特許法第２９条第２項の規定により特許を受けることができない。
　よって、請求項２〜３に係る発明について検討するまでもなく、結論のとおり審決する。